(57)【要約】【課題】  コンパクトな形状を維持しつつ、発光面積を増やした蛍光ランプを提供することにある。【解決手段】  発光管が１つの略Ｕ字形状ガラスバルブ又は複数の連通した略Ｕ字形状ガラスバルブから構成されている蛍光ランプであって、前記略Ｕ字形状ガラスバルブが前記略Ｕ字形状ガラスバルブの２つの直管部の中心軸に並列したＵ字形状の縦中心線を軸としてねじれ部を形成する。【選択図】  図１
2005129372.tif 000002
【特許請求の範囲】
【請求項１】
発光管が１つの略Ｕ字形状ガラスバルブ又は複数の連通した略Ｕ字形状ガラスバルブから構成されている蛍光ランプであって、前記略Ｕ字形状ガラスバルブが前記略Ｕ字形状ガラスバルブの２つの直管部の中心軸に並列した略Ｕ字形状の縦中心線を軸としてねじれ部が形成されていることを特徴とする蛍光ランプ。
【請求項２】
発光管が１つの略Ｕ字形状ガラスバルブ又は複数の連通した略Ｕ字形状ガラスバルブから構成されている蛍光ランプであって、前記略Ｕ字形状ガラスバルブの２つの直管部の中心軸を含む面に対する前記略Ｕ字形状ガラスバルブの２つの直管部の中心軸に並列した略Ｕ字形状の縦中心線を軸とした前記略Ｕ字形状ガラスバルブのねじれ角θが設けられていることを特徴とする請求項１記載の蛍光ランプ。
【請求項３】
発光管が１つの略Ｕ字形状ガラスバルブ又は複数の連通した略Ｕ字形状ガラスバルブから構成されている蛍光ランプであって、前記略Ｕ字形状ガラスバルブにねじれ部が一箇所以上形成されていることを特徴とする請求項１または請求項２記載の蛍光ランプ。
【発明の詳細な説明】
【技術分野】
【０００１】
本発明は電球形蛍光ランプ及びコンパクト形蛍光ランプに関する。
【背景技術】
【０００２】
従来の電球形蛍光ランプは、樹脂製のカバーと、口金と、発光管と、発光管の駆動用回路と、発光管と前記駆動回路を固定する樹脂製のホルダー等が備えられたものとなっている。これらの構成要素のうち、発光管は複数の略Ｕ字形状のガラスバルブが複数の連通管部により接続され、デルタ形状やスクウェア形状に配置されている。
【０００３】
このような従来の電球形蛍光ランプは、白熱電球に代わる省エネルギ光源として高効率で長寿命を目的とし、また、白熱電球用器具に広範囲に適合させるために、白熱電球の形状へ近づけるようコンパクト化が進んでいる。
【発明の開示】
【発明が解決しようとする課題】
【０００４】
以上のように、従来の電球形蛍光ランプでは、コンパクトにすると発光面積が狭くなり発光効率が低下する。従って、コンパクトな形状でさらなる高効率を追求するためには、従来サイズを維持しつつ、発光管の発光面積を増やすために放電長を増やす必要がある。
【０００５】
また、従来の電球形蛍光ランプ、特にグローブレスタイプでは、ベースアップ点灯させたときの直下方向の明るさに起因する発光面積が少ないという課題があった。
【０００６】
本発明の目的は上述した課題を解決するためになされたもので、従来サイズを維持しつつ、発光管の発光面積を増やすために放電長を増し、かつベースアップ点灯させたときの直下方向の明るさに起因する発光面積を増やすことができる蛍光ランプを提供することにある。
【課題を解決するための手段】
【０００７】
上記目的を達成するために本発明においては、（１）発光管が１つの略Ｕ字形状ガラスバルブ又は複数の連通した略Ｕ字形状ガラスバルブから構成されている蛍光ランプであって、前記略Ｕ字形状ガラスバルブが前記略Ｕ字形状ガラスバルブの２つの直管部の中心軸に並列した略Ｕ字形状の縦中心線を軸としてねじれ部が形成されていることで達成される。
【０００８】
（２）発光管が１つの略Ｕ字形状ガラスバルブ又は複数の連通した略Ｕ字形状ガラスバルブから構成されている蛍光ランプであって、前記略Ｕ字形状ガラスバルブの２つの直管部の中心軸を含む面に対する前記略Ｕ字形状ガラスバルブの２つの直管部の中心軸に並列した略Ｕ字形状の縦中心線を軸とした前記ガラスバルブのねじれ角θが設けられていることで達成される。
【０００９】
（３）発光管が１つの略Ｕ字形状ガラスバルブ又は複数の連通した略Ｕ字形状ガラスバルブから構成されている蛍光ランプであって、前記ガラスバルブにねじれ部が一箇所以上形成されていることで達成される。
【発明の効果】
【００１０】
以上、説明したように、本発明の蛍光ランプによれば、従来サイズを維持しつつ発光管の発光面積を増やすために放電長を従来品より増やすことができ、また、ベースアップ点灯させたときの直下方向の明るさに起因する発光面積を従来品より増やすことができる蛍光ランプが得られる。
【発明を実施するための最良の形態】
【００１１】
以下、本発明の一例での実施の形態を図面を参照しつつ説明する。
【００１２】
図１は、本発明による電球形蛍光ランプの一実施例を示したものである。図示のように、電球形蛍光ランプ１は、樹脂製のカバー２と、口金３と、発光管４と、発光管４の駆動用回路（図示せず）と、発光管４と前記駆動回路（図示せず）を固定する樹脂製のホルダー５等が備えられたものとなっている。これらの構成要素のうち、発光管４は略Ｕ字形状のガラスバルブにねじれ部が形成された複数のガラスバルブ６が複数の連通管部により接続され、デルタ形状（（a）参照）やスクウェア形状（（ｂ）参照）に配置されている。
【００１３】
ガラスバルブ６に形成されるねじれ部は１箇所以上でも構わない。また、ガラスバルブ６の連通管部に接続される一つ以上のガラスバルブは略Ｕ字形状、直線形状でも構わない。また、複数のガラスバルブ６の配置方法は直列形状、並列形状、格子形状でも構わない。
【００１４】
図２（a）は、ガラスバルブ６の要部拡大正面図である。図２（ｂ）は、ガラスバルブ６の要部拡大側面図である。ガラスバルブ６は略Ｕ字形状ガラスバルブが略Ｕ字形状ガラスバルブの２つの直管部の中心軸に並列したＵ字形状の縦中心線を軸として９０度のねじれ部を形成したものを示したものである。
【００１５】
さて、その電球形蛍光ランプ１での本発明によるガラスバルブの特徴について説明すれば、以下のようである。
【００１６】
即ち、略Ｕ字形状ガラスバルブが略Ｕ字形状ガラスバルブの２つの直管部の中心軸に並列した略Ｕ字形状の縦中心線を軸として９０度のねじれ部を形成しデルタ形状やスクウェア形状に配置されていることで、従来品の全長を維持しつつ発光管の発光面積を増やすために放電長を従来品より増やすことができ、また、ベースアップ点灯させたときの直下方向の明るさに起因する発光面積を従来品より増やすことができる。
【００１７】
ねじれ角θは９０度のときに、ベースアップ点灯させたときの直下方向の明るさに起因する発光面積が最大になるが、ねじれ角θが微小であっても構わないし、極大であっても構わない。
【００１８】
図３は、本発明品による発光管の放電長の従来品との割合の比較と、ベースアップ点灯させたときの直下方向の明るさに起因する発光面積の従来品との割合の比較を示したものである。本発明品では、例えばガラスバルブ６がデルタ形状に配置された蛍光ランプは、発光管の放電長が従来品の３０３ｍｍに対し、３１８ｍｍとなり、１０５％まで増える。また、本発明品では、例えばガラスバルブ６がデルタ形状に配置された蛍光ランプは、ベースアップ点灯させたときの直下方向の明るさに起因する発光面積が従来品の（１７８×１０-６）ｍ２に対し、（２８５×１０-６）ｍ２となり、１６０％まで増える。
【００１９】
本発明の適用はコンパクト形蛍光ランプでも構わない。
【図面の簡単な説明】
【００２０】
【図１】本発明による蛍光ランプの一実施例である。
【図２】本発明によるガラスバルブ６の要部拡大正面図である。
【図３】本発明品による発光管の放電長の従来品との割合の比較と、ベースアップ点灯させたときの直下方向の明るさに起因する発光面積の従来品との割合の比較を示す
【符号の説明】
【００２１】
１  電球形蛍光ランプ
２  樹脂製カバー
３  口金
４  発光管
５  ホルダー
６  ガラスバルブ。
【図１】
2005129372.tif 000003
【図２】
2005129372.tif 000004
【図３】
2005129372.tif 000005